(57)【特許請求の範囲】
【請求項１】
竹等の植物繊維と再生樹脂を固めたものの上に綿等の充填材を重ね、その上に布を重ねて加熱プレス加工してパネル材を形成し、このパネル材の周縁に縁材を取り付けてなるデスクトップパネルを備えていることを特徴とするデスクシステム。
【請求項２】
前記布面側を所定のパターンを形成する型によりプレスし、パネル材の表面に特定のパターンが形成されている請求項１記載のデスクシステム。
【請求項３】
対面式デスクとするとき、２枚のパネル材を布面を外面として背中合わせとし、周縁を縁材で囲繞してデスクトップパネルとされている請求項２または３記載のデスクシステム。
【発明の詳細な説明】
【技術分野】
【０００１】
本発明はデスクシステムに係り、特にワーキングデスクとするときその使用目的や使用状況に応じて様々な天板のレイアウトの自由度を高め、かつ組み立て組み替えが容易なデスクシステムに関する。
【背景技術】
【０００２】
各種作業に携わる人数や使用目的に応じ、それらに最も適した形態のデスクを構成するものとして従来から組み立て式のワーキングデスクが知られている。
【０００３】
従来のこの種のワーキングデスクは、その代表例を図２３に示すように、床上に立設される脚ａ，ａ…間をビームｂ，ｂ…で結合し、このビーム上に天板ｃ，ｃ…をビスなどにより固定することによりワーキングデスクとする構造が採られている。
【０００４】
上記構成による場合、天板ｃ，ｃ…を平面視Ｌ形状にカーブしたレイアウトしたいときは、中間に位置する脚ａ，ａ間を平面視弧状に屈曲したビームｂ’を連結し、その上に扇形状の天板ｃ’を載置固定して、全体としてＬ形状にカーブした形態のワーキングデスクとするようになされている。
【発明の開示】
【発明が解決しようとする課題】
【０００５】
しかして上記従来の構造では、所望するデスクの平面形状に対しそれに適合するビームを用意しなければならないうえ、レイアウトの変更に際しても、その都度新たなレイアウトの形態に適合する部品を準備しなければならず、したがって部品の共用化に乏しく、勢い高コストにならざるを得ないという問題を抱えていた。また脚ａとビームｂとの取り付け、およびビームｂ上への天板ｃの取り付けにすべてボルト止め等の固定手段を必要とするので、簡単に組み立てることが難しいなどの問題があった。
【０００６】
本発明は、天板の所望のレイアウトによるデスク構成、および天板のレイアウトの変更に際し部品を共用して簡単に対応することができ、組み立て組み替えが容易なデスクシステムを提供することを課題とする。
【０００７】
また必要時に隣席者間および／または対面者間に設立するデスクトップパネルおよびそのパネルを容易に設置することできること、さらにはデスク内または他のデスク間へのＯＡ機器用ケーブル類の通線を容易にできることを付隨課題とする。
【課題を解決するための手段】
【０００８】
上記課題を解決する手段として本発明は、所要の厚みを有する脚パネルと、上面が天板取付面とされ前記脚パネルの上面に固定し得る天板支持具と、この天板支持具の上面に固定される任意形状を有する天板と、左右に設立される脚パネルを結合する梁を構成する樋材とを備え、前記脚パネルは、内部が空洞とされ上端一隅部に切欠部が形成されており、この切欠部に前記樋材の端部を固定するようにして組み立て組み替え自在なデスクとすることを特徴とする。
【０００９】
こうしたことにより、脚パネルに天板支持具を支持し、この天板支持具に天板を取り付けるようにしているので、天板が如何なる平面形状を有するものであっても自由なレイアウトのデスクとすることができ、また使用目的の変更等による天板の組み換えも新たな部品を用いることなく共通部品の使用によって容易に行うことができる。さらに天板は脚パネルに対し天板支持具を介して支持するので、脚パネルに対する天板の高さ位置の調整には天板支持具の支持高さを変えるだけで対応することが可能となり、天板の構造に係わりなく高さ設定を可能とすることができる。
【００１０】
また脚パネル間に天板支持具を介して取り付けられる天板の隣位の天板との間、および／または前後の天板間に、ケーブル、デスクトップパネルの脚杆等を挿通し得る間隙を設けたことを特徴とする。
【００１１】
一方、脚パネルの上端面に形成されたデスクトップパネル挿着孔に脚杆を挿入固定して立設するデスクトップパネルを設けることができる。このようにすれば、対面者、隣席者との間を区画した形態のワーキングデスクとすることができる。
【００１２】
前記脚パネルは、該脚パネルの形状を定める金属製のフレームと、このフレームの両面を閉鎖する外板とで構成し、前記外板の少なくとも一方はフレームに対し着脱可能とすることが好ましい。
【００１３】
このようにすることにより、脚パネルに取り付けられる前記天板支持具の脚やデスクトップパネルの脚杆が完全に隠蔽されるので外観上好ましい形態とすることができ、レイアウト変更時等には外板を外すだけで組み立て解体作業を行うことができる。
【００１４】
前記天板支持具は、左右一対の脚を有しその上端間が横梁で結合された正面視門形状、または１本の脚を有しその上端に横梁を設けた正面視Ｔ形状とし、該横梁の上面を天板取付面とするとともに、前記脚パネルの上面には前記脚を高さ調節可能に挿着し得る天板支持具挿着孔を設ける構成とすることが好ましい。
【００１５】
さらに好ましくは、天板支持具の前記脚の上端を直角に屈曲し、その屈曲部の先端間を横梁で結合するようにし、この横梁の上面に天板を固定するようにして、隣接する天板間に通線可能な間隙が形成されるようにすることが望ましい。これにより一つの脚パネルを共用としてこれに左右の天板用の天板支持具を挿着しても左右の天板間に通線用の間隙を自ずと生み出すことができる。
【００１６】
対面式デスクとするとき、片側２基を一対とした脚パネルをその傾斜面が向き合うように配置して結合し、各切欠部で構成されるのカット部にそのカット部形状に即した樋材を取り付け、この樋材により通線樋が形成されるようにすれば、天板下のケーブルの始末が容易であるとともに隣位のデスクに連続した通線樋となるので、配線をすべて天板下で行うことができる。また脚パネル間に樋材が懸け渡されることによりデスクとしての強度部材として機能し、デスクを強固に組むことができる。
【００１７】
左右の脚パネルの切欠部に両端が固定される樋材にデスクトップパネル固定具を取り付け、この固定具にデスクトップパネルの脚杆を挿着して立設するようにすることができる。
【００１８】
前記デスクトップパネル固定具は、前記脚パネルの切欠部が斜面であるときその一側面が前記切欠部の斜面に固定される樋材の傾斜角に一致する角度をもって斜めに削成された傾斜面とし、この斜面の上端位置に前記樋材に穿設された通線孔の一つに係合する係止用突起およびネジ止め孔を設け、上面にはデスクトップパネルの脚杆を挿着する挿着孔を設けることにより実施することが好ましい。
【００１９】
前記デスクトップパネルの脚杆には、その上方部をデスクトップパネルの上下方向に形成された支持孔に挿入して該パネルを支持し、この脚杆には前記デスクトップパネルの設置高さを決定する高さ調整具を位置調整自在に取り付けるようにすることができる。
【００２０】
前記デスクトップパネルは、竹等の植物繊維と再生樹脂を固めたものの上に綿等の充填材を重ね、その上に布を重ねて加熱プレス加工してパネル材を形成し、このパネル材の周縁に縁材を取り付けて構成される。
【００２１】
前記デスクトップパネルは、その布面側を所定のパターンを形成する型によりプレスし、パネル材の表面に特定のパターンを形成するようにすることができる。
【００２２】
さらに対面式デスクとするとき、２枚のパネル材を布面を外面として背中合わせとし、周縁を縁材で囲繞してデスクトップパネルとすることができる。
【００２３】
さらに複数の脚パネルと、これら複数の脚パネル上に固定される任意平面形状の天板と、前記複数の脚パネルにそれぞれ設けられ前記天板を固定するための天板支持具と、前記複数の脚パネルを互いに結合し梁を構成する樋材とを備え、前記脚パネルは少なくとも３個であり、これらの間に固定される天板は少なくとも２枚であり、前記脚パネルを結合する少なくとも２本の樋材は直線状に配置され、前記脚パネルのうち中間に位置する脚パネルは少なくとも２枚の天板のいずれも支持するようにして組み立て、組み替えを自在としたデスクとすることができる。
【発明の効果】
【００２４】
以上説明したように本発明によれば、脚パネルに天板支持具を支持し、この天板支持具に天板を取り付けて支持するので、天板が如何なる平面形状を有するものであっても自由なレイアウトのデスクとすることができ、また使用目的の変更等による天板の組み替えも共通部品を用いて容易に行うことができる。さらに天板は脚パネルに対し天板支持具を介して支持するので、脚パネルに対する天板の高さ位置の調整には天板支持具の取り付け高さを変えるだけで対応することが可能となり、天板の構造に係わりなく高さ設定を可能とすることができる。
【００２５】
一方、脚パネルの上端面に形成された脚杆挿着孔に脚杆を挿入固定して立設するデスクトップパネルを設けるようにすれば、対面者、隣席者との間を区画した形態のワーキングデスクとすることができる。
【００２６】
また、脚パネルに取り付けられる前記天板支持具の脚やデスクトップパネルの脚杆が完全に隠蔽されるので外観上好ましい形態とすることができ、レイアウト変更時等には外板を外すだけで作業を行うことができる。
【００２７】
また、１基の脚パネルで左右の天板の端部を支持するので、横方向に天板を連設する際に脚パネルの設置数を大幅に減少することができ、外観上も煩雑になることがないと同時に使用する部品数を削減することができ、コストを低減することができる。
【００２８】
また、天板間に所定の間隙が形成されているので、デスク上で使用するＯＡ器機のケーブル類をはじめデスクトップパネルの脚杆を通すことができ、使い勝手のよいデスクとすることができる。
【００２９】
また、天板支持具を脚パネルの上端面の天板支持具挿着孔に挿着することにより取り付けるのでその取り付け作業が容易であり、また脚の挿着深さを調節することにより天板の高さを容易に設定することができる。
【００３０】
上記天板支持具によれば、１基の脚パネルに隣位の天板を支持するとき前述の間隙を容易に形成することができる。
【００３１】
また、対面側のデスクの脚パネルとの切欠部によりカット部が形成されるので、ここに樋材を取り付けることができ、これを通線樋として使用すれば、隣位のデスクの通線樋と一連となり、ケーブル類の処理を効率よく行うことができるとともに脚パネル間に樋材が懸け渡されることによりこれが強度部材となって機能し、デスクを強固に組むことができる。
【００３２】
また、対面式でないデスクとした場合でもデスクトップパネルを立設することができる。
【００３３】
また、軽量でありながら強靱でかつソフト感があり、ピンナップも可能な遮音性に富むデスクトップパネルとすることができ、廃棄時の分別廃棄も容易になる。
【発明を実施するための最良の形態】
【００３４】
以下、本発明を図面に示す実施の形態を参照して説明する。
【００３５】
本発明によるデスクシステムは、図１に分解斜視図を示すように、本発明に係わる脚パネル１と、天板２と、この天板２を前記脚パネル１に固定する天板支持具３と、左右の脚パネル１，１を結合する梁を構成する樋材４，４とで構成され、付帯的にデスクトップパネル５（以下ＤＴＰと略称する）が組み合わされる。
【００３６】
前記脚パネル１は、図１および図２（Ａ）にみられるようにパネル状の外観を有し、通常の対面式デスクとする場合には１箇所当たり２基の脚パネル１，１を横並び状に一対として使用するようになっている。
【００３７】
この脚パネル１は、所要厚みを有する縦長距形状をなし、その一対の脚パネル１，１の側端面が接する側の上端隅部に切欠部１Ａが形成されている。図示の実施形態では、略４５°程度の角度をもって削落された傾斜面１ａ，１ａとされており、一対の脚パネル１，１を設置したとき各傾斜面１ａ，１ａによりＶ字状のカット部が形成されるようになっている。しかしこの切欠部１Ａは図１、図３（Ａ）に示す傾斜面１ａに限らず、図３（Ｂ）に示す四角形状（Ｌ形）１’ａ、図３（Ｃ）に示すアール状１”ａの切欠、その他であってもよい。
【００３８】
上記脚パネル１の構造は、図２（Ａ）に示すように、その骨格を構成するスチール製のフレーム６と、このフレーム６を隠すようにその両面に脱着可能に取り付けられる外板７と、脚パネル１の上端面１ｂに貼設される化粧板７ａと、前記傾斜面１ａのある側の側端面に添設された板金７ｂとで構成され、脚パネル１の上端面１ｂには前記天板支持具３の一対の脚３ａ，３ａを挿着する一対の天板支持具挿着孔８，８と、前記ＤＴＰ５の脚杆１０を挿着するＤＴＰ挿着孔９，９が設けられている。
【００３９】
また上面傾斜面１ａには、その両端縁にそって片側２個ずつのネジ孔１ｃ，１ｃが、中央下方位置にはオプションとして用意される棚、ＯＡ器機のディスプレイ支持架等の支柱を挿着するための支持孔１ｄが形成されている。
【００４０】
上記脚パネル１に関しては、前記構成のほかに、図４（Ａ）に示すように水平な上片１ｅと下片１ｆとの長手方向中央部を縦片１ｇで結合して正面視Ｉ形状とした構成、図４（Ｂ）に示すように水平な上片１ｅと下片１ｆとの一端側を縦片１ｇで結合して正面視コ字形状とした構成としてもよく、これらはデスクとしてのデザイン上、適宜選択することができる。
【００４１】
また前記脚パネル１は、図５に示すようにその外板７の適所にケーブル通線用の切欠１ｈ（または窓孔）を形成し、脚パネル１内の空間部分を通線用として使用するとき前記切欠１ｈを通じてケーブルを通しやすくすることができる。
【００４２】
図６に示す天板２は、詳細は図示しないが例えば上面板と下面板との間にハニカム構造の介装物を介在させ周囲を化粧枠１１で閉鎖した軽量でかつ丈夫な構造のものが用いられ、人が作業する際に面する部位の縁部２ａは、ワーキングデスクとしたときそのレイアウトに対応するよう種々の平面形状とされており、幾種類かの形状の異る天板２が用意される。
【００４３】
前記天板支持具３は、アルミダイキヤスト製で、図示の実施形態では図１および図７〜図９に示すように正面視略門形状を有し、その左右の脚３ａ，３ａの上端は一方側へ直角に屈曲され、これら屈曲部３ｂ、３ｂの先端間が横梁３ｃで結合されたものである。
【００４４】
上記脚杆３ａ，３ａには上下方向に複数個（図では３個）の支持孔３ｄ，３ｄ…が形成されており、前記脚パネル１の上端面１ｂの天板支持具挿着孔８，８に挿入して該支持孔８，８…のいずれかを使用して前記フレーム６にネジ止めすることにより天板２を所望の高さに設定することができる。
【００４５】
前記横梁３ｃには天板２を取り付けるためのビス孔１２が設けられている。このビス止めについては、例えば横梁３ｃの一端寄りのビス孔１３に頭付きのビスを、他端寄りのみにビス孔１２を設けるようにする一方、天板２の下面に前記頭付きビスの頭部が嵌入してスライドさせることで抜け止めされる通称ダルマ孔１３ａを設けておき、これを抜け止めしたうえでビス孔１２からビス止めするようにすれば、組み付け時における手数を少なくすることができるので好ましい。
【００４６】
上記の天板支持具３と天板２との取り付け位置は、対面側の天板２，隣接する天板２の各接合縁間にＯＡ機器類のケーブルを挿通可能な間隙１３，１３が形成されるように定められている。
【００４７】
前記天板支持具３は、前記構成のほかに、図１０（Ａ）に示すように１本の脚３ａとし、その上端に横梁３ｃを屈曲部３ｂを介して一体もしくは別体の固着により構成することにより正面視Ｔ形状としてもよく、また図１０（Ｂ）のように２本の脚３ａ，３ａの上端間に平面視矩形の平面状の横梁３ｃを一体もしくは別体の固着により正面視門形状に形成してもよい。
【００４８】
前記梁を構成する樋材４は細長短形状を有する金属板からなり、通線用の孔１４，１４…が列設されたもので、前記脚パネル１の傾斜面１ａにそわせて置ける幅を有し、一対の脚パネル１，１を使用する場合は左右の脚パネル１，１の傾斜面１ａ，１ａによるＶ形状のカット部に２枚の樋材４，４がＶ字状をなして納まるようになっている。なお２枚の樋材４，４を用いて通線樋を構成する場合には、樋材４，４の下端間に通線可能な間隙１５が形成されるようになっている。
【００４９】
図１１（Ａ）〜（Ｄ）は樋材４の他の形態例を示す端面図で、図１１（Ａ）に示す樋材４は前記図３（Ａ）の脚パネル１を単体で使用してデスクとする場合に単体で通線樋を構成するためのものであり、断面が変形Ｖ字状とされ、傾斜している面４ａが脚パネル１の切欠部の傾斜面１ａに密接して固定され、垂直な面４ｂがケーブル受けとなるものである。
【００５０】
図１１（Ｂ）に示す樋材４は、図３（Ｂ）の脚パネル１を２基一対として用いる場合で、垂直面１ｃと水平面１ｄとからなっている。図１１（Ｃ）は上記図３（Ｂ）脚パネル１を単体で用いる場合、さらに図１１（Ｄ）は図３（Ｃ）の脚パネル１を２基一対として用いる場合のもので、左右の垂直面４ｅ，４ｅと底面４ｆとで構成されており、図１１（Ｄ）は図３（Ｃ）の脚パネル１を２基一対として用いる場合のもので、断面４分円形状とされている。
【００５１】
図１２〜図１５は、対面式ではないワーキングデスクとする場合の実施形態を示すもので、この場合には左右一対の脚パネル１，１と１枚の樋材４と天板２とＤＴＰ５とで構成されるが、ＤＴＰ５の脚杆１０，１０を樋材４に固定するためのＤＴＰ固定具１６，１６とＤＴＰ５の高さを可調整とするための高さ調整具１７，１７が用意される。なおこの高さ調整具１７は、図１に示した対面式のワーキングデスクの場合のＤＴＰ５においても使用される。
【００５２】
上記のワーキングデスクとする場合は、一対の脚パネル１，１の傾斜面１ａ，１ａに１枚の樋材４の各端部をビス止めし、この樋材４の下縁に前記ＤＴＰ固定具１６，１６が取り付けられる。
【００５３】
上記ＤＴＰ固定具１６は、図１３に示すように角形ブロック状をなし、その一側面が前記樋材４の傾斜角に一致する角度をもって斜めに削成されていて斜面１６ａとされ、この斜面１６ａの上端位置に前記樋材４の通線孔１４の一つに係合する係止用突起１８が形成されており、斜面１６ａの下方位置には前記樋材４のビス孔１９に通すビス２０をネジ止めするネジ孔が形成されている。
【００５４】
上記ＤＴＰ固定具１６の上面には目隠し用のＤＴＰ５の脚杆１０を挿着する挿着孔２１が穿設されている。なお符号２２はＤＴＰ固定具１６の外側面に固定された幕板で、前記樋材４と幕板２２とで通線樋を構成するとともに、外部から樋材４やＤＴＰ５の脚杆１０が見えないようにするためのものである。
【００５５】
図１４、図１５は上記のようにして組み立てた状態を示しており、図１４はＤＴＰ５を高い位置に設定した場合、図１５はＤＴＰ５を低い位置に設定した場合を示し、前記脚杆１０にはＤＴＰ５の高さ設定用の複数個のロック孔２３，２３（図１８示）…が縦方向に列設されており、また脚杆１０の上方はＤＴＰ５の脚杆挿入孔５ａに挿入されて支持する。
【００５６】
図１６、図１７は上記ＤＴＰ５の設置高さを定めるのに使用する高さ調整具１７の一例を示すもので、一端寄りの位置にＤＴＰ５の脚杆１０を上下方向に貫通して挿通する脚杆挿通孔２４を有する細長直方体形状の調整具本体２５の他端からロック杆２６が挿通支持され、このロック杆２６は前記脚杆挿通孔２４の直径方向に穿設された孔２７および脚杆１０のロック孔２３に貫入自在とされており、このロック杆２６の中間位置に固着された操作用つまみ２８と調整具本体２５の端部２５ａとの間に介装された圧縮バネ２９によりロック杆２６の内端が脚杆１０および脚杆挿通孔２４を横切って挿入されるようになっている。
【００５７】
したがって操作用つまみ２８に手指を掛けてロック杆２６を圧縮バネ２８を撓ませて引き戻し（図１６（Ｂ））、ＤＴＰ５が所望の高さ位置におかれるロック孔２３の一つを選択して操作用つまみ２８を放せば、ロック杆２６は脚杆１０のロック孔２３に貫入して調整具１７の位置を固定することができ、脚杆１０の上部にＤＴＰ５の脚杆挿通孔２４を嵌合して下げれば、ＤＴＰ５の下端が図１８（Ｂ）のように調整具１７に当たってその位置で留まって支持される。
【００５８】
図１９〜図２１はＤＴＰ５の具体的な構造例を示すもので、図２０に平面図として示すように、ＤＴＰ５の大きさを定める基板３０と、表面材３１と、前記基板３０と表面材３１との間に詰納される充填材３２とで構成され、前記基板３０の材質としては竹の繊維再生樹脂を固めたものが用いられ、表面材３１には布が、充填材３２には綿が用いられており、布面側からプレス加工して平板状に形成されている。このプレス時に表面材３１が垂直断面において波形状になる型が用いられている。したがってプレス型を選択することにより任意のパターンを有するＤＴＰとすることができる。
【００５９】
上記ＤＴＰ５によれば、軽量で保形性および強度が高く、かつピンナップが可能であり、不要になった後の分別処分が容易となり、さらに吸音性に優れるなどの利点が得られる。
【００６０】
図１９、図２１は対面式のワーキングデスクの仕切り用とする場合の形態を示すもので、前記基板３０を間隔をおいて向き合わせ、その四周を化粧枠３３で固定して構成される。
【００６１】
上記ＤＴＰ５は、複数の天板２を用いて図１に示したようなワーキングデスクとする場合には、各ＤＴＰ５の突き合わせ端部間に通線用の間隙３４が形成されるようになっている。
【００６２】
その間隙形成の手段の一例を図２２（Ａ）〜（Ｃ）に示している。図２２（Ａ）はＤＴＰ５，５を横並びに設置する場合で、両端に頭部３５ａ，３５ａを有する連結具３５を用意し、この連結具３５をＤＴＰ５，５の端部に形成された頭付き溝３６，３６に落とし込んで嵌合させることにより左右のＤＴＰ５，５間に所定の間隙３４が形成されて連結されるようにする。
【００６３】
図２２（Ｂ）は３方にＤＴＰ５，５，５が配置される場合で、この場合の連結具３５は平面視Ｔ字状に形成される。また図２２（Ｃ）は４方にＤＴＰ５，５，５，５が配置される場合であり、この場合の連結具３５は平面視十字状に形成される。
【００６４】
次に上記実施形態の組み立て手順について説明する。
【００６５】
図１に分解図として示すワーキングデスクとする場合の組み立てには、２基を一対とした３組の脚パネル１，１…を用意し、その脚パネル１，１の傾斜面１ａ，１ａが向き合うように配置して脚パネル同士のフレーム６，６をボルト，ナットで結合する。
【００６６】
次いで脚パネル１，１の傾斜面１ａ，１ａにより形成されるＶ字状のカット部に樋材４，４を懸け渡して脚パネル１，１のフレーム６，６にビス止めして固定する。これにより一対の脚パネル１，１は一体化されるとともに左右の脚パネル１，１は樋材４，４により一体的に固定される。
【００６７】
その後、脚パネル１，１の上端面１ｂ、１ｂの天板支持具挿着孔８，８に天板支持具３，３の脚３ａ，３ａを挿入し、その脚３ａ，３ａの支持孔３ｄの一つを選択して天板支持具３の高さを設定したのちフレーム６にビス止めして固定する。
【００６８】
次にこの天板支持具３の横梁３ｃに天板２を頭付きビスと通常のビスとで固定する。
【００６９】
この場合、天板支持具３の横梁３ｃは、その脚杆３ａ，３ａに対し屈曲部３ｂ，３ｂの長さ分だけずれているので、隣位の天板２との間に通線用の間隙１３が自ずと形成される。
【００７０】
また場合により天板２の高さを段違いに設定したいときは、天板支持具３の取り付け高さを各天板において変えることにより即時対応することができる。
【００７１】
ＤＴＰ５を用いるときは、その脚杆１０，１０を脚パネル１，１のＤＴＰ挿着孔９，９に挿入することにより立てることができる。この際には前述のようにＤＴＰ固定具１６を樋材４に固定する一方、ＤＴＰ５の設置高さについては高さ調整具１７の位置を定めて脚杆１０に固定しておくことにより所望高さのＤＴＰ５を設置することができる。
【００７２】
図１２〜図１５のように対面式でないワーキングデスクとする場合は、左右の脚パネル１，１は１基ずつとし、かつその傾斜面１ａ，１ａを奥側として配置し、その傾斜面１ａ，１ａに１枚の樋材４をそわせてその端部を傾斜面１ａ，１ａにビス止めして固定する。
【００７３】
次いで前記と同様に天板支持具３，３を取り付け、これに天板２を取り付ける。またＤＴＰ５を用いるときは、樋材４にＤＴＰ固定具１６を固定するとともに高さ調整具１７の位置を定めたのち脚杆１０，１０にＤＴＰ５を落とし込んで嵌めることによりＤＴＰ５が取り付けられる。
【００７４】
さらに棚を必要とするときは、その棚の支柱を天板２，２間の間隙１３を通して脚パネル１，１の傾斜面１ａに開口されている支持孔１ｄに挿着することにより、共通の脚パネル１を使用して簡単に付設することができる。
【００７５】
ワーキングデスクの解体やレイアウトの変更時には、前記組み立て時とは逆の手順によって行うことができる。
【図面の簡単な説明】
【００７６】
【図１】本発明によるワーキングデスクの一実施形態を示す分解斜視図。
【図２】図１における脚パネルを示すもので、（Ａ）は外板を外した状態の正面図、（Ｂ）は平面図。
【図３】（Ａ）〜（Ｃ）は脚パネルの正面形状の例示図。
【図４】（Ａ），（Ｂ）は脚パネルの変形例を示す斜視図。
【図５】脚パネルの外板に切欠を形成する場合の形成場所の例示図。
【図６】図１における天板の一つを示す下面図。
【図７】図１における天板支持具の正面図。
【図８】同、平面図。
【図９】図８のＡ−Ａ断面図。
【図１０】（Ａ），（Ｂ）は、天板支持具の変形例を示す斜視図。
【図１１】図３（Ｂ），（Ｃ）の脚パネルに用いる樋材の端面図。
【図１２】非対面式のワーキングデスクとする場合の一実施形態を示す分解斜視図。
【図１３】同、デスクトップパネルの取り付け部の断面図。
【図１４】同、デスクトップパネルを高い位置に設定した場合の斜視図。
【図１５】同、低い位置に設定した場合の斜視図。
【図１６】デスクトップパネルの高さ調整具の一例を示し、（Ａ）は取り付け前の状態の斜視図、（Ｂ）は断面図。
【図１７】同、（Ａ）は取り付け後の状態の斜視図、（Ｂ）は断面図。
【図１８】デスクトップパネルの取り付け状況を示し、（Ａ）は取り付け前、（Ｂ）は取り付け後の状態を示す一部の斜視図。
【図１９】デスクトップパネルの一実施形態を示す平面図。
【図２０】同、片面のみの平面図。
【図２１】同、断面図。
【図２２】デスクトップパネルの繋ぎ目を示し、（Ａ）は隣接する２枚、（Ｂ）はＴ字形配置の３枚、（Ｃ）はクロス形配置の４枚の場合の平面図。
【図２３】従来のワーキングデスクの説明図。
【符号の説明】
【００７７】
１  脚
１ａ  上端面
２  天板
３  天板支持具
３ａ  脚杆
３ｂ  屈曲部
３ｃ  横梁
４  樋材
５  デスクトップパネル（ＤＴＰ）
６  フレーム
７  外板
８  天板支持具挿着孔
９  ＤＴＰ挿着孔
１０  脚杆
１３，１５  通線用間隙
１６  ＤＴＰ固定具
１７  高さ調整具
３０  基板
３１  表面材
３２  充填材
【図１】
0004739385.tif 000002
【図２】
0004739385.tif 000003
【図３】
0004739385.tif 000004
【図４】
0004739385.tif 000005
【図５】
0004739385.tif 000006
【図６】
0004739385.tif 000007
【図７】
0004739385.tif 000008
【図８】
0004739385.tif 000009
【図９】
0004739385.tif 000010
【図１０】
0004739385.tif 000011
【図１１】
0004739385.tif 000012
【図１２】
0004739385.tif 000013
【図１３】
0004739385.tif 000014
【図１４】
0004739385.tif 000015
【図１５】
0004739385.tif 000016
【図１６】
0004739385.tif 000017
【図１７】
0004739385.tif 000018
【図１８】
0004739385.tif 000019
【図１９】
0004739385.tif 000020
【図２０】
0004739385.tif 000021
【図２１】
0004739385.tif 000022
【図２２】
0004739385.tif 000023
【図２３】
0004739385.tif 000024